(57)【要約】【課題】平らな形状の袋本体を自立可能とし、また袋本体を切断した開口部を簡単に開き、容易に口に運び内容物のほぼ全量を口に移して服用することができる分包袋を提供する。【解決手段】一対のシート状の側面部が重ねて作られた扁平な袋本体１２と、袋本体１２の両側面に設けられた一対の突出片１８を備える。突出片１８の、袋本体１２に糊付けされる糊付部２０は、袋本体１２の両側面のほぼ中心に位置し、袋本体１２の糊付部２０と反対側の端部は袋本体１２に重ねて折り畳んだ状態で袋本体１２の側縁部の外側に突出する。糊付部２０は袋本体１２の側面の開口部２４を上にして、上下方向に沿う中心線上に位置する。【選択図】図１
2011011753.tif 000002
【特許請求の範囲】
【請求項１】
一対のシート状の側面部が重ねて作られた扁平な袋本体と、前記袋本体の両側面に設けられた一対の突出片を備えたことを特徴とする分包袋。
【請求項２】
前記突出片の、前記袋本体に糊付けされる糊付部は、前記袋本体の両側面のほぼ中心に位置し、糊付部は前記袋本体の前記側面の開口部を上にして、上下方向に沿う中心線上に貼り付けられている請求項１記載の分包袋。
【請求項３】
前記突出片は、四角形であり１辺が前記糊付部となり、前記糊付部と反対側の端部は前記袋本体に重ねて折り畳んだ状態で前記袋体の側縁部の外側に突出することを特徴とする請求項２記載の分包袋。
【請求項４】
前記突出片は略三角形であり、１辺が前記糊付部となり、前記糊付部と反対側の端部は前記袋本体に重ねて折り畳んだ状態で前記袋体の側縁部の外側に突出し、前記糊付部の上端部に交差する１辺は、前記糊付部から離れるほど下方に向かって傾斜していることを特徴とする請求項２記載の分包袋。
【請求項５】
前記突出片は扇形であり、１辺が前記糊付部となり、前記糊付部と反対側の端部は前記袋本体に重ねて折り畳んだ状態で前記袋体の側縁部の外側に突出し、前記糊付部の上端部に交差する側縁部は、前記糊付部から離れるほど外側に膨出しながら下方に向かって傾斜していることを特徴とする請求項２記載の分包袋。
【請求項６】
前記突出片の中央には、指用の穴部が形成されていることを特徴とする請求項１記載の分包袋。
【発明の詳細な説明】
【技術分野】
【０００１】
この発明は、顆粒剤、散剤、錠剤、液剤等を、所定量で収容した分包袋に関する。
【背景技術】
【０００２】
従来、医薬品や健康食品は、顆粒剤、散剤、錠剤、液剤等があり、これを一回の服用量ごとに収容する小形の分包袋がある。このような分包袋は、三方シールや四方シールの袋等、マチの無い平らな形状であることが多く、上端部に沿って切断して開封した後、開け口を指先で押し広げて取り出し口（飲み口）を形成して内容物を取り出していた。特に、飲用するものは、取り出し口を顔に近づけて、口の中へ直接内容物を入れて服用するものが多い。
【０００３】
このようなマチの無い平らな形状の袋体は、医薬品や健康食品の他に流動性の食品や詰め替え用の洗剤等、いろいろなものを収容することに使用されている。袋本体の形態は、三方シール形式や四方シール形式等パウチや、底部に自立機能を付与したスタンディングパウチがある。また、他の容器へ内容物を移し替えることを容易とするため、手で保持する構造を有する袋体もある。
【０００４】
例えば、特許文献１に開示されている自立袋は、袋本体の底部をスタンディングパウチと同様なガセット部を有する形式で形成し、胴部は前後の壁面フィルムの両側縁部を側部シール部でヒートシールされて作られ、そのヒートシールの一部に左右の外側に突出する延長シール部が設けられている。延長シール部の中心には、保持用の穴が設けられている。また、特許文献２に開示されている包装用袋は、ガセット部を有する自立可能なものであり、上部には内容物を注出するための注出部が形成され、前記注出部はヒートシール部の間隔を狭くすることによって形成されている。この注出部を横方向に横断し切除可能な易開封手段が施されており、また前記易開封手段により開封予定線の下部で且つ収納部の両側部にベタシールによる指添え部が形成されている。また、上記２件の特許文献よりも確実な自立性を有するものとして、袋体に支持部が設けられたものがある。特許文献３に開示されている包装袋は、袋本体の一面の中間部に、上下両辺に交差するフィン部が設けられ、包装袋を左辺または右辺を下にして横置きしたとき、包装袋がフィン部に支持されて自立可能となるものである。
【先行技術文献】
【特許文献】
【０００５】
【特許文献１】特開２００２−１７９０９５号公報
【特許文献２】特開２０００−２８１０８９号公報
【特許文献３】特開２００３−７２７７１号公報
【発明の概要】
【発明が解決しようとする課題】
【０００６】
上記背景技術の場合、医薬品や健康食品を収容する小形の分包袋は、袋本体が平らな形状であるため、袋を開封した後は立てた状態で保持していないと内容物がこぼれるため不便であった。また、袋本体の開け口を指先で押し広げて取り出し口（飲み口）を形成する操作が面倒であり、中身を出し難く、扱いにくいという欠点があった。特に、手が不自由な人や高齢者、子供等、細かい作業が苦手な人は、分包袋の開け口を押し広げる行為が困難であり、内容物の正しい量を最後まで取り出せなかったり、こぼしたりする恐れがある。
【０００７】
特許文献１、特許文献２に開示されているガセット部を有する袋本体は、流動性の食品や洗剤等の重量がある製品を収容したものでは安定して自立するが、小形で軽量な分包袋に応用すると不安定である。また、特許文献３に開示されているフィン部は、開口を容易にするものではなく、袋体に対してフィン部を一定角度に引き起こして自立させることが難しかった。
【０００８】
さらに、特許文献１、特許文献２に開示されている保持用の穴または指添え部は、袋本体の側面と面一に両側方へ突出して設けられ、一対の保持用の穴または指添え部を互いに近づけると内容物が重いために開口部が容易に開いて内容物を注ぎ出すことが容易となるものである。しかし、小形で軽量な分包袋に袋本体と面一に両側方へ突出する保持部を設けて互いに近づけても、袋体の一対の側面が一緒にたわんでしまい開口し難いものである。
【０００９】
この発明は、上記背景技術の問題点に鑑みてなされたものであり、平らな形状の袋本体を自立可能とし、また袋本体を切断した開口部を簡単に開き、容易に口に運び内容物のほぼ全量を取り出して服用等することができる分包袋を提供することを目的とする。
【課題を解決するための手段】
【００１０】
本発明は、一対のシート状の側面部が重ねて作られた扁平な袋本体と、前記袋本体の両側面に設けられた一対の突出片を備えた分包袋である。さらに、前記突出片の、前記袋本体に糊付けされる糊付部は、前記袋本体の両側面のほぼ中心に位置し、糊付部は前記袋本体の前記側面の開口部を上にして、上下方向に沿う中心線上に貼り付けられているものである。
【００１１】
また、前記突出片は、四角形であり１辺が前記糊付部となり、前記糊付部と反対側の端部は前記袋本体に重ねて折り畳んだ状態で前記袋体の側縁部の外側に突出している。または、前記突出片は略三角形であり、１辺が前記糊付部となり、前記糊付部と反対側の端部は前記袋本体に重ねて折り畳んだ状態で前記袋体の側縁部の外側に突出し、前記糊付部の上端部に交差する１辺は、前記糊付部から離れるほど下方に向かって傾斜しているものである。または、前記突出片は扇形であり、１辺が前記糊付部となり、前記糊付部と反対側の端部は前記袋本体に重ねて折り畳んだ状態で前記袋体の側縁部の外側に突出し、前記糊付部の上端部に交差する側縁部は、前記糊付部から離れるほど外側に膨出しながら下方に向かって傾斜しているものである。また、前記突出片の中央には、指用の穴部が形成されていても良い。
【発明の効果】
【００１２】
本発明の分包袋は、一対のシート状の側面が重ねられて作られた袋本体を誰にでも簡単に開口させて内容物を口に運んでほぼ全量を出すことができる。さらに、開封した状態で自立させることができ、内容物をこぼすことなく、開封後に手を離して他の作業をすることができる。手の不自由な人や高齢者、子供等、指先の細かい作業が苦手な人も、自分で分包袋から薬等を服用することができるものである。
【図面の簡単な説明】
【００１３】
【図１】この発明の第一実施形態の分包袋の使用状態を示す斜視図である。
【図２】この発明の第一実施形態の分包袋の正面図である。
【図３】この発明の第二実施形態の分包袋の正面図である。
【図４】この発明の第三実施形態の分包袋の正面図である。
【図５】この発明の第四実施形態の分包袋の正面図である。
【発明を実施するための形態】
【００１４】
以下、この発明の実施形態について図面に基づいて説明する。図１、図２はこの発明の第一実施形態を示すもので、この実施形態の分包袋１０は、一対の合成樹脂製のラミネートシートを互いに重ねて周囲をヒートシールした袋本体１２が設けられている。袋本体１２は、上下方向に長い矩形にカットされ、四辺には、ヒートシールによるシール部１４が形成されている。袋本体１２の、長手方向に交差する一方の端部１２ａの近傍には、袋本体１２の長手方向に沿う一方の側縁部１２ｂに開封切込線１６が設けられている。開封切込線１６は、側縁部１２ｂに対して直角に、シール部１４の途中まで形成され、開封時に袋本体１２を側縁部１２ｂに対してほぼ直角に切断する開始位置である。
【００１５】
袋本体１２の側面１２ｃの中心には、突出片１８が取り付けられている。突出片１８は、紙製等のシートを袋本体１２より小さい矩形にカットしたものであり、１辺は糊付部２０となり、糊２１で側面１２ｃの長手方向に沿う中心線上に位置して貼り付けられている。突出片１８の、糊付部２０と反対側の端部は持ち手２２となり、持ち手２２は、袋本体１２に重ねて折り畳まれたとき、袋本体１２の側縁部１２ｂと反対の側縁部１２ｄの、外側に突出している。
【００１６】
次に、この実施形態の分包袋１０の使用方法について図１に基づいて説明する。分包袋１０の開封切込線１６を裂くように力を入れると、袋本体１２の端部１２ａに対してほぼ平行に切断されて開口部２４が形成される。一対の突出片１８の持ち手２２を左右の手で持ち、袋本体１２の側面１２ｃに交差する互いに離れる方向へ開くと、袋本体１２の側面１２ｃが互いに離れる方へ膨らみ、開口部２４は大きく開口される。そして持ち手２２を保持して分包袋１０を顔に近づけ、袋本体１２の開口部２４を口に向かって傾けると、分包袋１０に収容されていた内容物２６が口の中へ落下する。このとき、一対の側面１２ｃが互いに離れて開口部２４は大きく開口され、内容物２６は内側に詰まることがなく全量が出る。また、袋本体１２を切断して開封し内容物２６が収容された状態で、突出片１８の糊付部２０近傍に折り目２７をつけて、突出片１８を袋本体１２の側面１２ｃに対してほぼ直角に左右に広げてテーブル等の上に置くと、突出片１８の持ち手２２がテーブルに当接して支持部となり、袋本体１２を支持し開口部２４を上に向けた状態で自立する。
【００１７】
この実施形態の分包袋１０によれば、一対の合成樹脂製のシートを互いに重ねて周囲をヒートシールした平らな形状の袋本体１２を、簡単に開口部２４を開いて内容物２６を口に運び全量を出して正しい量を服用することができ、内容物２６をこぼすことがなく、きれいに飲むことができる。手が不自由な人や高齢者、子供等、指先のこまかい作業が苦手な人でも、簡単に開口部２４を広げて口に運び、内容物２６を服用することができる。また、袋本体１２を切断して開封し開口部２４を形成した後に、袋本体１２を突出片１８で自立させることができ、内容物２６をこぼさずに、飲料水の準備等のその他の作業をすることができる。
【００１８】
次にこの発明の第二実施形態について図３に基づいて説明する。なお、ここで、上記実施形態と同様の部材は同様の符号を付して説明を省略する。この実施形態の分包袋２８の突出片３０は略三角形であり、突出片３０の１辺が糊付部２０となり、糊２１で側面１２ｃの長手方向に沿う中心線上に位置して貼り付けられている。突出片３０の、糊付部２０と反対側の端部は持ち手３１となり、持ち手３１の、糊付部２０の上端部２０ａに交差する側縁部３１ａは、糊付部２０から離れるほど下方に向かって傾斜している。
【００１９】
この実施形態の分包袋２８は、内容物２６を飲むときに袋本体１２を顔に近づけて傾けたとき、持ち手３１の側縁部３１ａが傾斜しているため、持ち手３１が顔に当たることがなく、楽に飲むことができる。
【００２０】
次に、この発明の第三実施形態について図４に基づいて説明する。この実施形態の分包袋３２の突出片３４は扇形であり、突出片３４の１辺が糊付部２０となり、糊２１で側面１２ｃの長手方向に沿う中心線上に位置して貼り付けられている。突出片３４の、糊付部２０と反対側の端部は持ち手３６となり、持ち手３６の、糊付部２０の上端部２０ａに交差する側縁部３６ａは、糊付部２０から離れるほど外側に膨出しながら下方に向かって傾斜している。
【００２１】
この実施形態の分包袋３２は、内容物２６を飲むときに袋本体１２を顔に近づけて傾けたとき、持ち手３６の側縁部３６ａが傾斜しているため、持ち手３６が顔に当たることがなく、また指で持つ面積が広く、確実に保持することができる。
【００２２】
次に、この発明の第四実施形態について図５に基づいて説明する。この実施形態の分包袋３８は、突出片４０の持ち手４２は扇形に形成されている。持ち手４２の中心には、指用の穴部４４が設けられている。穴部４４は、突出片４０が袋本体１２に重ねて折り畳まれたとき、袋本体１２の側縁部１２ｄにほぼ当接する位置に形成されている。なお、突出片４０の形状は、上記実施形態の突出片１８のような四角形や、突出片３０のような三角形でもよい。
【００２３】
この実施形態の分包袋３８は、手が不自由な人でも穴部４４に指を入れて突出片４０を左右に広げて大きく開口部２４を開口させ、口に運んで内容物２６を服用することができる。
【００２４】
なお、この発明の分包袋は、上記各実施形態に限定されるものではなく、袋本体の素材や構造は内容物に合わせて適宜変更可能である。袋本体の４辺がヒートシールされたもの以外に、３辺のみがヒートシールされたものでもよい。内容物は、医薬品以外に、健康食品や、調味料など、いろいろなものに利用することができる。突出片の素材は、紙以外にプラスチックシートでもよい。紙の場合は、コピー用紙程度の厚みで充分な強度を得ることができる。突出片の、袋本体への貼り付けは、ラベルにして手貼りする方法や、機械での貼り付け等、自由である。
【符号の説明】
【００２５】
１０  分包袋
１２  袋本体
１４  シール部
１８  突出片
２０  糊付部
２１  糊
２２  持ち手
２４  開口部
２６  内容物
２７  折り目
【図１】
2011011753.tif 000003
【図２】
2011011753.tif 000004
【図３】
2011011753.tif 000005
【図４】
2011011753.tif 000006
【図５】
2011011753.tif 000007